(57)【特許請求の範囲】
【請求項１】
基地局でマルチキャスト／ブロードキャストを実行する方法であって、
移動端末からＩＰパケットを受信するステップと、
前記受信されたＩＰパケットにマルチキャスト又はブロードキャストのための
第１ＣＩＤの少なくとも１つがあるか否かを判断するステップと、
前記判断結果に従って前記受信されたＩＰパケットの前記第１ＣＩＤを
マルチキャスト又はブロードキャストのための第２ＣＩＤに選択的に置き換えたパケットを送信するステップとを有し、
前記移動端末から前記基地局へのアップリンクで実行されることを特徴とするマ
ルチキャスト／ブロードキャスト方法。
【請求項２】
前記マルチキャスト／ブロードキャスト方法は、前記基地局で運営されるＭＡＣ階層の上位階層である収束副階層（ｃｏｎｖｅｒｇｅｎｃｅ  ｓｕｂｌａｙｅｒ）で実行されることを特徴とする請求項１に記載のマルチキャスト／ブロードキャスト方法。
【請求項３】
ＭＡＣ階層にて前記第１ＣＩＤを第２ＣＩＤに置き換えたパケットをＭＡＣ管理メッセージであるＭＡＰ（ｍｏｂｉｌｅ  ａｎｃｈｏｒ  ｐｏｉｎｔ）メッセージに挿入するステップをさらに有することを特徴とする請求項１に記載のマルチキャスト／ブロードキャスト方法。
【請求項４】
前記基地局がカバーする地域内の特定の移動端末がマルチキャストパケットである前記第１ＣＩＤを第２ＣＩＤに置き換えたパケットを受信するか、又は、前記基地局がカバーする地域内の不特定の移動端末がブロードキャストパケットである前記第１ＣＩＤを第２ＣＩＤに置き換えたパケットを受信することを特徴とする請求項１に記載のマルチキャスト／ブロードキャスト方法。
【請求項５】
前記マルチキャスト／ブロードキャスト方法は、ＩＥＥＥ８０２．１６ｄ／ｅ、ＷｉＢｒｏ、ＷｉＭＡＸ標準規格のうちの少なくともいずれか１つに従って携帯インターネットシステムに適用されることを特徴とする請求項１に記載のマルチキャスト／ブロードキャスト方法。
【請求項６】
マルチキャスト／ブロードキャストを実行するための基地局の装置であって、移動端末から受信されたＩＰパケットにマルチキャスト又はブロードキャストのための第１ＣＩＤの少なくとも１つがあるか否かを指示する判断情報を生成する分類器と、
前記判断情報に従って前記受信されたＩＰパケットの前記第１ＣＩＤをマルチキャスト又はブロードキャストのための第２ＣＩＤに選択的に置き換えたパケットを送信する送信器とを備え、
前記移動端末から前記基地局へのアップリンクをサポートすることを特徴とす
るマルチキャスト／ブロードキャストのための装置。
【請求項７】
前記マルチキャスト／ブロードキャストのための装置は、前記基地局で運営さ
れるＭＡＣ階層の上位階層である収束副階層（ｃｏｎｖｅｒｇｅｎｃｅ  
ｓｕｂｌａｙｅｒ）に含まれることを特徴とする請求項６に記載のマルチキャス
ト／ブロードキャストのための装置。
【請求項８】
前記第１ＣＩＤを第２ＣＩＤに置き換えたパケットをＭＡＣ管理メッセージで
あるＭＡＰ（ｍｏｂｉｌｅ  ａｎｃｈｏｒ  ｐｏｉｎｔ）メッセージに挿入するＭ
ＡＣ階層をさらに備えることを特徴とする請求項６に記載のマルチキャスト／ブ
ロードキャストのための装置。
【請求項９】
前記基地局がカバーする地域内の特定の移動端末がマルチキャストパケットで
ある前記第１ＣＩＤを第２ＣＩＤに置き換えたパケットを受信するか、又は、前
記基地局がカバーする地域内の不特定の移動端末がブロードキャストパケットで
ある前記第１ＣＩＤを第２ＣＩＤに置き換えたパケットを受信することを特徴と
する請求項６に記載のマルチキャスト／ブロードキャストのための装置。
【請求項１０】
前記マルチキャスト／ブロードキャストのための装置は、ＩＥＥＥ８０２．１６ｄ／ｅ、ＷｉＢｒｏ、ＷｉＭＡＸ標準規格のうちの少なくともいずれか１つに従って携帯インターネットシステムに適用されることを特徴とする請求項６に記載のマルチキャスト／ブロードキャストのための装置。
【発明の詳細な説明】
【技術分野】
【０００１】
本発明は、無線通信システムに関し、より詳細には、ＩＥＥＥ８０２．１６ｄ／ｅ、ＷｉＢｒｏ、ＷｉＭＡＸ標準規格などによる携帯インターネットシステムにおいて、ＩＰｖ６（ＩＰ  ｖｅｒｓｉｏｎ  ６）の近隣発見プロトコルＮＤＰ（Ｎｅｉｇｈｂｏｒ  Ｄｉｓｃｏｖｅｒｙ  Ｐｒｏｔｏｃｏｌ）が柔軟に適用されるようにするためにマルチキャスト／ユニキャスト機能を付与するための方法及び装置に関する。
【背景技術】
【０００２】
最近、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｄ／ｅ、ＷｉＢｒｏ（ｗｉｒｅｌｅｓｓ  ｂｒｏａｄｂａｎｄ  Ｉｎｔｅｒｎｅｔ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）標準規格などによる４世代移動通信では、衛星通信網だけではなく、無線通信網、デジタルオーディオ放送網、及びビデオ放送網などが有機的に連動する１つの単一網として統合されている。
これにより、ユーザは、いずれのネットワークでも最善の状態で円滑な携帯インターネットなどのサービスを受けることができるようになる。
【０００３】
図１は、一般的な無線通信システム１００環境を説明するための図である。
図１を参照すれば、移動端末ＭＳ（Ｍｏｂｉｌｅ  Ｓｔａｔｉｏｎ）１３０、１４０、１５０は、基地局ＢＳ（Ｂａｓｅ  Ｓｔａｔｉｏｎ）１２０の中継を受けて、通話、デジタル放送、デジタルメディアデータのダウンロード／アップロードなどの通信サービスを受けることができる。
【０００４】
移動端末１３０、１４０、１５０は、携帯電話、ノート型パソコン、ＰＤＡ（Ｐｅｒｓｏｎａｌ  Ｄｉｇｉｔａｌ  Ａｓｓｉｓｔａｎｔ）などである。基地局１２０は、制御局ＡＲ（Ａｃｃｅｓｓ  Ｒｏｕｔｅｒ）１１０とイーサネット（登録商標）基盤で互いに接続する。
基地局１２０は、移動端末との迅速な接続のためのブリッジング（ｂｒｉｄｇｉｎｇ）の役割、無線資源（リソース）のスケジューリング、及びＲＦ（Ｒａｄｉｏ  Ｆｒｅｑｕｅｎｃｙ）制御機能を処理する。
【０００５】
また、制御局１１０は、Ｌ３（Ｌａｙｅｒ  ３）機能を主に担当するＩＰ終端ポイント（ｔｅｒｍｉｎａｔｉｎｇ  ｐｏｉｎｔ）であって、移動端末１３０、１４０、１５０と基地局１２０とがＩＰパケットを適切に送受信できるようにルーティングする。制御局１１０の制御を受けてルーティングされたＩＰ（Ｉｎｔｅｒｎｅｔ  Ｐｒｏｔｏｃｏｌ）パケットは、基地局１２０を介して目的地端末または目的地サーバに送受信される。
【０００６】
このようなＩＥＥＥ８０２．１６ｄ／ｅ、ＷｉＢｒｏ、ＷｉＭＡＸ標準規格などによる一般的な無線通信システム１００の環境において、基地局１２０は、ＩＰｖ６によって移動端末の移動性をサポートして、よってユニキャストをサポートする。しかしながら、マルチキャスト／ブロードキャストは、ＩＥＥＥ８０２．１１、ＷＬＡＮ（ＷｉｒｅｌｅｓｓＬＡＮ）などではサポートされるが、ＩＥＥＥ８０２．１６ｄ／ｅ、ＷｉＢｒｏ、ＷｉＭＡＸ標準規格などによる携帯インターネットシステムでは支援されない。
【０００７】
ユニキャストは、１対１（ｏｎｅ−ｔｏ−ｏｎｅ）通信を意味するものであり、例えば、１つのホストと他の１つのホストとの間の通信がこれに該当する。ホストとは、移動端末又はインターネットに接続された所定の応用サーバなどであると言える。マルチキャストは、１対多（ｏｎｅ−ｔｏ−ｍａｎｙ）通信を意味するものであり、例えば、１つのホストと特定のホスト集団への単方向性通信がこれに該当する。ブロードキャストはマルチキャストの特別な場合であって、１つのホストと不特定のホスト集団への単方向性通信がこれに該当する。
【０００８】
このようなマルチキャスト／ブロードキャストは、ＩＰｖ６のＲＦＣ２４６１に定義された近隣発見プロトコル（Ｎｅｉｇｈｂｏｒ  Ｄｉｓｃｏｖｅｒｙ  Ｐｒｏｔｏｃｏｌ）が適切に動作するようにする。近接発見プロトコルは、ＩＰｖ６の核心的なプロトコルであって、隣接している隣り合ったノードを探索するためのプロトコルである。
【０００９】
しかしながら、ＩＥＥＥ８０２．１６ｄ／ｅ、ＷｉＢｒｏ、ＷｉＭＡＸ標準規格などによる携帯インターネットシステムでは、マルチキャスト／ブロードキャストがサポートされないため、近接発見プロトコルでサポートされるシグナリングメッセージであるＲＳ（Ｒｏｕｔｅｒ  Ｓｏｌｉｃｉｔａｔｉｏｎ）、ＲＡ（Ｒｏｕｔｅｒ  Ａｄｖｅｒｔｉｓｅｍｅｎｔ）、ＮＳ（Ｎｅｉｇｈｂｏｒ  Ｓｏｌｉｃｉｔａｔｉｏｎ）、ＮＡ（Ｎｅｉｇｈｂｏｒ  Ａｄｖｅｒｔｉｓｅｍｅｎｔ）などのようなメッセージの交換（ｅｘｃｈａｎｇｅ）にオーバーヘッドが生じる上に、この他にもアドレス自動設定（Ａｄｄｒｅｓｓ  Ａｕｔｏ−Ｃｏｎｆｉｇｕｒａｔｉｏｎ）、重複アドレス検出（Ｄｕｐｌｉｃａｔｅ  Ａｄｄｒｅｓｓ  Ｄｅｔｅｃｔｉｏｎ）などに困難が生じる。
【発明の開示】
【発明が解決しようとする課題】
【００１０】
本発明は、上記のような問題点を解決するためになされたものであって、本発明の好適な実施形態の態様は、ＩＥＥＥ８０２．１６ｄ／ｅ、ＷｉＢｒｏ、ＷｉＭＡＸシステムの基地局において、受信されるＩＰパケットから判断して移動端末が識別できるように、マルチキャスト／ブロードキャストのための接続識別子ＣＩＤ（Ｃｏｎｎｅｃｔｉｏｎ  Ｉｄｅｎｔｉｆｉｅｒ）が付けられたパケットを移動端末に送信するマルチキャスト／ブロードキャスト方法を提供することを目的とする。
また、本発明の好適な実施形態の態様は、ＩＥＥＥ８０２．１６ｄ／ｅ、ＷｉＢｒｏ、ＷｉＭＡＸシステムのような携帯インターネットシステムに近接発見プロトコルが柔軟に適用されるためにマルチキャスト／ブロードキャスト機能を付与した基地局の装置を提供することを他の目的とする。
【課題を解決するための手段】
【００１１】
上記目的を達成するためになされた本発明の好適な他の実施形態の態様に係る基地局でマルチキャスト／ブロードキャストを実行する方法は、移動端末からＩＰパケットを受信するステップと、前記受信されたＩＰパケットにマルチキャスト又はブロードキャストのための第１ＣＩＤの少なくとも１つがあるか否かを判断するステップと、前記判断結果に従って前記受信されたＩＰパケットの前記第１ＣＩＤをマルチキャスト又はブロードキャストのための第２ＣＩＤに選択的に置き換えたパケットを送信するステップとを有し、前記移動端末から前記基地局へのアップリンクで実行されることを特徴とする。
【００１２】
前記マルチキャスト／ブロードキャスト方法は、前記基地局で運営されるＭＡＣ階層の上位階層である収束副階層（ｃｏｎｖｅｒｇｅｎｃｅ  ｓｕｂｌａｙｅｒ）でなされる。
【００１３】
前記ＭＡＣ階層では、前記第１ＣＩＤを第２ＣＩＤに置き換えたパケットを、ＭＡＣ管理メッセージであるＭＡＰメッセージに挿入して送信する。
【００１４】
これにより、前記基地局がカバーする地域内の特定の移動端末がマルチキャストパケットである前記第１ＣＩＤを第２ＣＩＤに置き換えたパケットを受信するか、又は、前記基地局がカバーする地域内の不特定の移動端末がブロードキャストパケットである前記第１ＣＩＤを第２ＣＩＤに置き換えたパケットを受信することができる。
【００１５】
前記マルチキャスト／ブロードキャスト方法は、ＩＥＥＥ８０２．１６ｄ／ｅ、ＷｉＢｒｏ、ＷｉＭＡＸ標準規格のうちの少なくともいずれか１つに従って携帯インターネットシステムに適用することができる。
【００１６】
上記目的を達成するためになされた本発明の好適なさらに他の実施形態の態様に係るマルチキャスト／ブロードキャストのための基地局の装置は、移動端末から受信されたＩＰパケットにマルチキャスト又はブロードキャストのための第１ＣＩＤの少なくとも１つがあるか否かを指示する判断情報を生成する分類器と、前記判断情報に従って前記受信されたＩＰパケットの前記第１ＣＩＤをマルチキャスト又はブロードキャストのための第２ＣＩＤに選択的に置き換えたパケットを送信する送信器とを備え、前記移動端末から前記基地局へのアップリンクをサポートすることを特徴とする。
【発明の効果】
【００１７】
本発明の好適な実施形態に係るマルチキャスト／ブロードキャスト機能が８０２．１６ｄ／ｅ、ＷｉＢｒｏ、ＷｉＭＡＸ標準規格など内の少なくとも１つが携帯インターネットシステムに適用されれば、ＩＰｖ６の近隣発見プロトコルが柔軟に適用されるようになるため、近隣探索のための多くのシグナリングによるオーバーヘッドの減少が可能となる。
【００１８】
また、本発明の好適な実施形態に係るマルチキャスト／ブロードキャスト方法によれば、無線通信システムにおいて、ＩＥＥＥ８０２．１６ｄ／ｅ、ＷｉＢｒｏ、ＷｉＭＡＸ標準規格などの少なくとも１つに適用されれば、携帯インターネットシステムにマルチキャスト／ブロードキャスト機能が付与されるため、ＩＰｖ６のＮＤＰプロトコルが柔軟に適用されるようになる。これにより、近隣発見プロトコルでサポートされるシグナリングメッセージであるＲＳ、ＲＡ、ＮＳ、ＮＡなどのようなメッセージの交換が容易になり、ホストでアドレス自動設定、重複アドレス検出などが容易に行うことができる。
【発明を実施するための形態】
【００１９】
以下、添付の図面に基づき、本発明の好適な実施の形態を詳細に説明するが、本発明がこれらの実施形態によって制限または限定されることはない。図中、同じ参照符号は同じ部材を示す。
【００２０】
図２は、本発明の一実施形態に係る無線通信システム２００を説明するためのブロック図である。
図２を参照すると、無線通信システム２００は、ブリッジ（ｂｒｉｄｇｅ）、アクセスルータ（ａｃｃｅｓｓ  ｒｏｕｔｅｒ）、ホスト（ｈｏｓｔ）などに該当する上位階層（ｕｐｐｅｒ  ｌａｙｅｒ）２１０と、アクセスポイント（ａｃｃｅｓｓ  ｐｏｉｎｔ）、中継器（ｒｅｐｅａｔｅｒ）などに該当する基地局（ｂａｓｅ  ｓｔａｔｉｏｎ）２２０と、携帯電話、ノート型パソコン、ＰＤＡなどに該当する（第１〜第３）移動端末（ｍｏｂｉｌｅ  ｓｔａｔｉｏｎ）２３０、２４０、２５０とを含む。
【００２１】
（第１〜第３）移動端末２３０、２４０、２５０は、インターネット網に接続される基地局２２０及び上位階層２１０を介して対応ノード（ｃｏｒｒｅｓｐｏｎｄｅｎｔ  ｎｏｄｅ）と通信することができる。ここで、インターネット網とは、私設網だけではなく、公衆網を含む概念である。例えば、インターネット網に接続するアクセスルータは、着信コールに対してセッション接続確立（ｓｅｓｓｉｏｎ  ｃｏｎｎｅｃｔｉｏｎ  ｅｓｔａｂｌｉｓｈｍｅｎｔ）を制御し、（第１〜第３）移動端末２３０、２４０、２５０各々と基地局２２０との間に必要なＩＰ（Ｉｎｔｅｒｎｅｔ  Ｐｒｏｔｏｃｏｌ）パケット又はメッセージが適切に送受信されるようにルーティングを管理する。
【００２２】
インターネット網を介してＡＡＡ（Ａｕｔｈｅｎｔｉｃａｔｉｏｎ／Ａｕｔｈｏｒｉｔｙ／Ａｃｃｏｕｎｔｉｎｇ：認証、権限検証、課金）サーバ、品質マネージャ（Ｑｕａｌｉｔｙ  Ｍａｎｅｇｅｒ）、位置登録器（Ｌｏｃａｔｉｏｎ  Ｒｅｇｉｓｔｅｒ）、及びアプリケーションサーバなどがアクセスルータと接続することができる。
【００２３】
基地局２２０は、無線資源のスケジューリングに従って無線リソース制御（ＲＲＣ；Ｒａｄｉｏ  Ｒｅｓｏｕｒｃｅ  Ｃｏｎｔｒｏｌ）機能及びセル間の移動性をサポートするハンドオフ（ｈａｎｄｏｆｆ）機能などを実行して、（第１〜第３）移動端末２３０、２４０、２５０の通信を中継する。
【００２４】
無線通信システム２００は、ＩＥＥＥ８０２．１６ｄ／ｅ、ＷｉＢｒｏ、ＷｉＭＡＸ標準規格などを適用されうる。
無線通信システム２００環境において、基地局２２０は、ＩＰｖ６（Ｉｎｔｅｒｎｅｔ  Ｐｒｏｔｏｃｏｌ  ｖｅｒｓｉｏｎ  ６）に従った（第１〜第３）移動端末２３０、２４０、２５０のシームレスな（ｓｅａｍｌｅｓｓ）移動性をサポートする。
特に、本実施形態では、ＩＥＥＥ８０２．１１、ＷＬＡＮなどでサポートされなかったマルチキャスト／ブロードキャスト機能が基地局２２０でサポートされるようにした。これにより、マルチキャスト／ブロードキャストによる１対多の通信が可能になるため、１対１の通信であるユニキャストのみによって引き起こされていたシグナリングオーバーヘッドが減少する。
【００２５】
したがって、ＩＥＥＥ８０２．１６ｄ／ｅ、ＷｉＢｒｏ、ＷｉＭＡＸ標準規格などに従う携帯インターネットシステムにマルチキャスト／ブロードキャスト機能が付与された場合、ＩＰｖ６の近隣発見プロトコル（Ｎｅｉｇｈｂｏｒ  Ｄｉｓｃｏｖｅｒｙ  Ｐｒｏｔｏｃｏｌ）が柔軟に適用されるようになる。
すなわち、近隣発見プロトコルでサポートされるシグナリングメッセージであるＲＳ（Ｒｏｕｔｅｒ  Ｓｏｌｉｃｉｔａｔｉｏｎ）、ＲＡ（Ｒｏｕｔｅｒ  Ａｄｖｅｒｔｉｓｅｍｅｎｔ）、ＮＳ（Ｎｅｉｇｈｂｏｒ  Ｓｏｌｉｃｉｔａｔｉｏｎ）、ＮＡ（Ｎｅｉｇｈｂｏｒ  Ａｄｖｅｒｔｉｓｅｍｅｎｔ）などのようなメッセージの交換が容易になり、ホストでアドレス自動設定、重複アドレス検出などを容易に行うことができる。
【００２６】
このために、基地局２２０では、受信されたＩＰパケットがユニキャストであるかどうかだけでなく、マルチキャスト／ブロードキャストであるかどうかを判断することができる。特に、マルチキャスト／ブロードキャストである受信されたＩＰパケットに対しては、基地局２２０で移動端末が識別できるように、マルチキャスト／ブロードキャストのためのＣＩＤ（ｃｏｎｎｅｃｔｉｏｎ  ｉｄｅｎｔｉｆｉｅｒ）を付けて移動端末に送信することができる。
【００２７】
図２において、基地局２２０は、収束副階層（ｃｏｎｖｅｒｇｅｎｃｅ  ｓｕｂｌａｙｅｒ）２２１と、ＭＡＣ（Ｍｅｄｉａ  ＡｃｃｅｓｓＣｏｎｔｒｏｌ）階層２２２と、ＰＨＹ（Ｐｈｙｓｉｃａｌ；物理）階層２２３とを備える。
【００２８】
収束副階層２２１は、ＩＰプロトコルの階層化モデルにおいて、サービス種類（ｔｙｐｅ）ごとにそれぞれ必要な機能を処理するための副階層であり、特に、本実施形態では、上位階層２１０から受け取ったＩＰパケットがユニキャストであるかどうかだけでなく、マルチキャスト／ブロードキャストであるかどうかを判断して、その判断の結果に基づいて対応するＣＩＤを付ける。
ＩＰパケットがユニキャストである場合には、一般的な場合と同じ方式のＣＩＤが付与されるし、マルチキャスト／ブロードキャストである場合には、本発明で新たに定義されたマルチキャスト／ブロードキャストのためのＣＩＤが付与される。
【００２９】
ＭＡＣ階層２２２は、様々な複数のノードが基地局２２０を共有することをできるようにする制御を実行するための階層であって、上位／下位階層から伝達されたパケットのエラーを制御し、上位／下位階層が認識できるフレームフォーマットに合わせたパケットを各上位／下位階層に送信する。ＰＨＹ階層２２３は、ＭＡＣ階層２２２から伝達されたパケットを所定の送信方式によって（第１〜第３）移動端末２３０、２４０、２５０に送信し、又、この逆の工程も実行する。
【００３０】
以下、図３〜図８を参照しながら、基地局２２０でユニキャスト及びマルチキャスト／ブロードキャストをサポートする方式について説明する。
図３は、本実施形態に係る図２に示す基地局２２０のユニキャストを説明するための収束副階層３００の一例を示した構成図である。
図３を参照すると、例えば、収束副階層３００は、分類器（ｃｌａｓｓｉｆｉｅｒ）３１０と、送信器（ｔｒａｎｓｍｉｓｓｉｏ  ｕｎｉｔ）３２０とを含む。図３の収束副階層３００の動作を説明するために、図４のフローチャートを参照する。
【００３１】
基地局２２０においてどのようにユニキャストがサポートされるかは、一般的な方式と類似するので簡略に説明する。基地局２２０が移動端末からユニキャストパケットを受信する場合に、分類器３１０は、受信されたパケットがユニキャストパケットであることを知らせる情報を生成する（ステップＳ４１０）。また、分類器３１０は、受信されたパケットがダウンリンク又はアップリンクのパケットであるかどうかを判断することができる（ステップＳ４２０）。
【００３２】
次に、受信されたパケットがダウンリンクのパケットであれば、送信器３２０は、該当するユニキャスト目的地アドレスに対応するＣＩＤを受信されたパケットに付けてＭＡＣ階層２２２に伝達する（ステップＳ４３０）。例えば、各々のユニキャスト目的地アドレス別にＣＩＤ１、ＣＩＤ２、ＣＩＤ３、…などが受信されたパケットに付けられる。ここで、ＣＩＤは、移動端末（例えば、ホスト）を識別するためにＭＡＣヘッダに付ける１６ビットの識別子である。
【００３３】
ＭＡＣ階層２２２では、収束副階層３００から送信されたパケットをＭＡＣ管理メッセージであるＭＡＰ（ｍｏｂｉｌｅ  ａｎｃｈｏｒ  ｐｏｉｎｔ）メッセージに挿入して知らせる（ａｎｎｏｕｎｃｅ）ことで、該当する移動端末がそのパケットを受信できるようにする。ＭＡＰメッセージは、ＩＰｖ６で移動端末別に動的にリソースが割り当てられた結果を知らせるために用いられる。また、受信されたパケットがアップリンクのパケットであれば、送信器３２０は、該当するユニキャスト目的地アドレスに受信されたパケットが送信されるようにする（ステップＳ４４０）。
【００３４】
図５は、本実施形態に係る図２の基地局２２０のダウンリンクマルチキャストを説明するための収束副階層５００一例を示した構成図である。
図５を参照すると、収束副階層５００は、分類器５１０と、送信器５２０とを備える。
分類器５１０は図３の分類器３１０と統合することができるし、送信器５２０は図３の送信器３２０と統合することができる。
ここで、図５の収束副階層５００の動作を説明するために、図６のフローチャートを参照する。図５及び図６ではダウンリンクマルチキャストに対して例示したが、これはダウンリンクブロードキャストに対しても同様に適用することができる。
【００３５】
本発明の一実施形態に係る基地局２２０のダウンリンクマルチキャスト（又はブロードキャスト）工程では、まず、基地局２２０が上位階層２１０からＩＰパケットを受信する（ステップＳ６１０）。
【００３６】
そして、分類器５１０は、受信されたＩＰパケットにマルチキャスト（又はブロードキャスト）目的地アドレスがあるかどうかを判断する（ステップＳ６２０）。分類器５１０は、受信されたＩＰパケットにマルチキャスト（またはブロードキャスト）目的地アドレスがあるかどうかを指示する判断情報を生成することができる。マルチキャスト（又はブロードキャスト）目的地アドレスは、ＩＰｖ６などにおいて所定の範囲で定義されており、例えば、最上位８ビットが０ｘＦＦに割り当てられる。
【００３７】
判断情報によって受信されたＩＰパケットがマルチキャスト（又はブロードキャスト）ではないと判断された場合、送信器５２０は、図３の送信器３２０と同様の方法でユニキャスト動作を実行することができる。
判断情報によって受信されたＩＰパケットがマルチキャスト（又はブロードキャスト）であると判断された場合、送信器５２０は、受信されたＩＰパケットにマルチキャスト（又はブロードキャスト）のためのＣＩＤ、例えば、ｍＣＩＤ１を付けたパケットをＭＡＣ階層２２２に送信する（ステップＳ６３０）。ここで、ｍＣＩＤ１は、マルチキャスト（又はブロードキャスト）をサポートするために定義されたものであって、図３の一般的なＣＩＤの代わりにＭＡＣヘッダに付ける１６ビットの識別子である。
【００３８】
次に、ＭＡＣ階層２２２では、マルチキャスト（又はブロードキャスト）のためのＣＩＤであるｍＣＩＤ１を付けたパケットをＭＡＣ管理メッセージであるＭＡＰメッセージに挿入して知らせることで、該当する移動端末がそのパケットを受信できるようにする（ステップＳ６４０）。
【００３９】
受信されたＩＰパケットがマルチキャストパケットである場合、基地局２２０がカバーする地域内の特定の移動端末、例えば、（第１〜第３）移動端末２３０、２４０、２５０のうちでｍＣＩＤ１によって識別される特定の移動端末が、ｍＣＩＤ１を付けたパケットを受信することができる（ステップＳ６５０）。または、受信されたＩＰパケットがブロードキャストパケットである場合、基地局２２０がカバーする地域内でｍＣＩＤ１によって識別される不特定の移動端末が、ｍＣＩＤ１を付けたパケットを受信することができる（ステップＳ６５０）。
【００４０】
図７は、本実施形態に係る図２の基地局２２０のアップリンクマルチキャストを説明するための収束副階層７００の一例を示した構成図である。
図７を参照すると、収束副階層７００は、分類器７１０と、送信器７２０とを備える。
分類器７１０は図３及び図５の分類器５１０と統合することができるし、送信器７２０は図３及び図５の送信器５２０と統合することができる。
図７の収束副階層７００の動作を説明するために、図８のフローチャートを参照する。図７及び図８ではアップリンクマルチキャストに対して例示したが、これはアップリンクブロードキャストに対しても同様に適用することができる。
【００４１】
本発明の一実施形態に係る基地局２２０のアップリンクマルチキャスト（又はブロードキャスト）工程では、まず、基地局２２０が例えば、（第１〜第３）移動端末２３０、２４０、２５０のうちのいずれか１つの移動端末からＩＰパケットを受信する（ステップＳ８１０）。
【００４２】
そして、分類器７１０は、受信されたＩＰパケットにマルチキャスト（又はブロードキャスト）のためのＣＩＤ、例えば、ｍＣＩＤ２があるかどうかを判断する（ステップＳ８２０）。分類器７１０は、受信されたＩＰパケットにｍＣＩＤ２があるかどうかを指示する判断情報を生成することができる。
【００４３】
判断情報によって受信されたＩＰパケットがマルチキャスト（又はブロードキャスト）ではないと判断された場合、送信器７２０は、図３の送信器３２０と同様の方法でユニキャスト動作を実行することができる。
判断情報によって受信されたＩＰパケットがマルチキャスト（又はブロードキャスト）であると判断された場合、送信器７２０は、受信されたＩＰパケットに含まれたｍＣＩＤ２を他のＣＩＤ、例えば、ｍＣＩＤ１に置き換える（ステップＳ８３０）。
【００４４】
ここで、ｍＣＩＤ１及びｍＣＩＤ２は、マルチキャスト（又はブロードキャスト）をサポートするために定義されたＣＩＤであって、図３の一般的なＣＩＤの代わりに該当するＭＡＣヘッダに付ける１６ビットの識別子である。図５で説明したｍＣＩＤ１は、図７で説明したｍＣＩＤ１と同じであり得る。
【００４５】
ｍＣＩＤ２からｍＣＩＤ１に置き換えられた受信されたＩＰパケットは、ＭＡＣ階層２２２に送信される（ステップＳ８４０）。
これにより、ＭＡＣ階層２２２では、ｍＣＩＤ２をｍＣＩＤ１に置き換えたパケットをＭＡＣ管理メッセージであるＭＡＰメッセージに挿入して知らせることで、該当する移動端末がそのパケットを受信できるようにする（ステップＳ８５０）。
【００４６】
受信されたＩＰパケットがマルチキャストパケットである場合、基地局２２０がカバーする地域内の特定の移動端末、例えば、（第１〜第３）２３０、２４０、２５０のうちでｍＣＩＤ１によって識別される特定の移動端末が、ｍＣＩＤ２をｍＣＩＤ１に置き換えたパケットを受信することができる（ステップＳ８６０）。または、受信されたＩＰパケットがブロードキャストパケットである場合、基地局２２０がカバーする地域内でｍＣＩＤ１によって識別される不特定の移動端末が、ｍＣＩＤ２をｍＣＩＤ１に置き換えたパケットを受信することができる（ステップＳ８６０）。
【００４７】
本発明の実施形態で開示された方法及び装置で用いられる機能は、コンピュータで読取可能な記録媒体に書き込まれたコンピュータで読取可能なコードで実現することが可能である。コンピュータで読取可能な記録媒体は、コンピュータシステムによって読取可能なデータが保存されるすべての種類の記録装置を含む。コンピュータで読取可能な記録媒体の例としては、ＲＯＭ、ＲＡＭ、ＣＤ−ＲＯＭ、磁気テープ、フロッピー（登録商標）ディスク、光データ保存装置などがあり、さらに搬送波（例えば、インターネットを介した送信）の形態で実現されるものも含む。また、コンピュータで読取可能な記録媒体は、ネットワークで接続されたコンピュータシステムに分散され、分散方式でコンピュータが読取可能なコードが保存されて実行することもできる。
【００４８】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。
【図面の簡単な説明】
【００４９】
【図１】一般的な無線通信システム環境を説明するための図である。
【図２】本発明の一実施形態に係る無線通信システムを説明するためのブロック図である。
【図３】本発明の一実施形態に係る図２の基地局のユニキャストを説明するための収束副階層の構成図である。
【図４】図３の収束副階層の動作に従う基地局のユニキャスト動作を説明するためのフローチャートである。
【図５】本発明の一実施形態に係る図２の基地局のダウンリンクマルチキャストを説明するための収束副階層の構成図である。
【図６】図５の収束副階層の動作に従う基地局のダウンリンクマルチキャスト動作を説明するためのフローチャートである。
【図７】本発明の一実施形態に係る図２の基地局のアップリンクマルチキャストを説明するための収束副階層の構成図である。
【図８】図７の収束副階層の動作に従う基地局のアップリンクマルチキャスト動作を説明するためのフローチャートである。
【符号の説明】
【００５０】
２００  無線通信システム
２１０  上位階層
２２０  基地局
２２１、３００、５００、７００  収束副階層
２２２  ＭＡＣ階層
２２３  ＰＨＹ階層
２３０、２４０、２５０  （第１〜第３）移動端末
３１０、５１０、７１０  分類器
３２０、５２０、７２０  送信器
【図１】
0005273625.tif 000002
【図２】
0005273625.tif 000003
【図３】
0005273625.tif 000004
【図４】
0005273625.tif 000005
【図５】
0005273625.tif 000006
【図６】
0005273625.tif 000007
【図７】
0005273625.tif 000008
【図８】
0005273625.tif 000009